(57)【要約】【課題】各種デバイスの不必要な性能低下を防止した上で、装置内部の信号に起因した干渉による受信障害を改善する。【解決手段】周波数設定部５はフロントエンド部３からの受信レベルが基準値未満となった場合には受信チャンネルに対応する各種デバイス用の逓倍比や分周比の情報をＲＯＭ６に記憶される周波数テーブルから読出して第１逓倍回路２、第１分周回路７、第２逓倍回路９、第２分周回路１０に出力する。各種逓倍回路や分周回路は周波数設定部５から入力した逓倍比や分周比をもとに各種デバイスへのクロック信号を生成して出力する。これにより受信電波と各種デバイスへのクロック信号との干渉が改善されるので受信レベルを改善できる。【選択図】      図１
2007235840.tif 000002
【特許請求の範囲】
【請求項１】
クロック信号の入力により動作する処理回路と、
放送電波を受信および選局する受信選局手段と、
予め定められた周波数によるクロック信号を生成する信号生成手段と、
この信号生成手段が生成したクロック信号の周波数を予め定められた倍率にしたがって変更して当該クロック信号を前記処理回路へ供給する供給手段と、
前記受信選局手段により選局した電波の受信状態が予め定められた条件を満たすか否かを判別する判別手段と、
前記受信状態が前記条件を満たさないと前記判別手段が判別した場合に、前記倍率を前記受信選局手段が選局した電波と前記処理回路へのクロック信号との間の干渉を改善する倍率に変更する変更手段と
を備えたことを特徴とするデジタル放送受信装置。
【請求項２】
前記倍率は逓倍比および分周比でなり、
前記供給手段は、
前記信号生成手段が生成したクロック信号の周波数を予め定められた逓倍比にしたがって逓倍し、この逓倍した周波数を予め定められた分周比にしたがって分周して当該分周後のクロック信号を前記各処理回路へ供給することを特徴とする請求項１に記載のデジタル放送受信装置。
【請求項３】
前記変更手段による前記倍率の変更後に前記受信状態が予め定められた条件を満たすよう改善したか否かを判別する改善判別手段と、
前記受信状態が前記条件を満たすよう改善したと前記改善判別手段が判別した場合に、前記倍率を前記変更手段による変更前の倍率に再変更する再変更手段とをさらに備えたことを特徴とする請求項１に記載のデジタル放送受信装置。
【請求項４】
前記処理回路を複数種類備え、
前記供給手段は、
前記信号生成手段が生成したクロック信号の周波数を前記各処理回路の種類ごとに予め定められた倍率にしたがって変更して当該クロック信号を前記各処理回路へ供給する
ことを特徴とする請求項１に記載のデジタル放送受信装置。
【請求項５】
チャンネルを示す情報と当該チャンネルに関わる電波が前記受信選局手段により選局された場合の前記倍率の情報とを前記処理回路の種類および前記チャンネルの種類ごとに関連付けて記憶する記憶手段をさらに備え、
前記変更手段は、
前記供給手段により前記各処理回路へ供給するクロック信号の周波数と関わるそれぞれの倍率を前記記憶手段に記憶される倍率のうち前記受信選局手段により選局したチャンネルの種類および前記供給先の処理回路の種類と関連付けられる倍率にそれぞれ変更する
ことを特徴とする請求項４に記載のデジタル放送受信装置。
【発明の詳細な説明】
【技術分野】
【０００１】
本発明は、デジタル方式の放送電波を受信するデジタル放送受信装置に関する。
【背景技術】
【０００２】
従来、例えば特許文献１に開示されるように、デジタル放送受信装置は発振器が生成した基準クロック信号の周波数を各種デバイスの動作に適した周波数になるように逓倍および分周して、この信号をデバイスごとに個別に供給する。デジタル放送受信装置の各種デバイスに供給されるクロック信号の周波数は当該デバイスへのクロック信号の周波数として設定できる最大周波数である。
【特許文献１】特開２００２−１０８４９０号公報
【発明の開示】
【発明が解決しようとする課題】
【０００３】
デジタル放送受信装置が車載式の装置である場合には装置自体を小型化しているため各種デバイス間の間隔が狭い。この場合には、デジタル放送受信装置の受信回路が選局した電波の周波数と各種デバイスへ供給されるクロック信号の周波数との間で干渉が発生して受信レベルが低下する。周囲の受信環境が良い場合には、この干渉が発生してもユーザによる放送の視聴に影響はないが、周囲の受信環境が悪化して受信レベルがさらに低下した場合にはユーザが放送を視聴できなくなる可能性がある。
【０００４】
この問題を改善する手段として、機器の設計時に各種デバイスへ供給されるクロック信号の周波数を前述した干渉が発生しない低い周波数に設定することが考えられる。しかし、このような手法で各種デバイスへのクロック周波数を設定すると各種デバイスの機能を低下させることになる。
【０００５】
そこで、本発明の目的は、各種デバイスの不必要な性能低下を防止した上で、装置内部の信号に起因した干渉による受信障害を改善することが可能になるデジタル放送受信装置を提供することにある。
【課題を解決するための手段】
【０００６】
すなわち、本発明に係わるデジタル放送受信装置は、予め定められた周波数によるクロック信号の周波数を予め定められた倍率に変更して処理回路へ供給し、選局した電波の受信状態が予め定められた条件を満たさない場合に前述した倍率を選局電波と処理回路へのクロック信号との間の干渉を改善する倍率に変更することを特徴とする。
【発明の効果】
【０００７】
本発明に係わるデジタル放送受信装置では、各種デバイスの不必要な性能低下を防止した上で、装置内部の信号に起因した干渉による受信障害を改善することができる。
【発明を実施するための最良の形態】
【０００８】
以下図面により本発明の実施形態について説明する。  
図１は、本発明の実施形態にしたがった地上波デジタル放送受信装置の構成例を示すブロック図である。
【０００９】
本発明の実施形態にしたがった地上波デジタル放送受信装置は、第１発振回路１、第１逓倍回路２、フロントエンド部３、アンテナ４、周波数設定部５、ＲＯＭ（Read Only Memory）６、第１分周回路７、第２発振回路８、第２逓倍回路９、第２分周回路１０、ＣＰＵ１１、ＲＡＭ（Random Access Memory）１２、周辺回路１３、外部インタフェース（Ｉ／Ｆ）１４、ビデオ回路１５、オーディオ回路１６、表示部１７および入力部１８を備える。
【００１０】
ＣＰＵ１１は装置全体を制御する。周辺回路１３はＣＰＵ１１の周辺の処理回路であり、制御信号の入出力処理などを行なう。外部インタフェース１４は例えばカード型のメモリ装置といった外部装置と接続する装置である。ＣＰＵ１１、ＲＡＭ１２、周辺回路１３、外部インタフェース１４、ビデオ回路１５およびオーディオ回路１６はクロック信号の入力により動作する。
【００１１】
フロントエンド部３はアンテナ４を介して地上波デジタルテレビ放送の電波を受信、選局、復調、ビタビ復号および誤り訂正などを行なってトランスポートストリーム信号を出力する。
【００１２】
また、フロントエンド部３は選局した放送局の情報および電波の受信レベルを示す信号を周波数設定部５に出力する。受信レベルとはチューナが選局した電波の強さを数値化した情報である。
【００１３】
ビデオ回路１５はクロック信号の入力にしたがいフロントエンド部３からのトランスポートストリーム信号に含まれる映像信号を復号する。ビデオ回路１５は復号にかかる処理回路とこの復号後の信号出力にかかる処理回路とに区分される。オーディオ回路１６はクロック信号の入力にしたがい、フロントエンド部３からのトランスポートストリーム信号に含まれる音声信号を復号する。
【００１４】
ＲＯＭ６にはＣＰＵ１１、ＲＡＭ１２、周辺回路１３、外部インタフェース１４、ビデオ回路１５およびオーディオ回路１６へのクロック信号の周波数設定のための逓倍比および分周比の情報が記憶される。この逓倍比および分周比の詳細については後述する。周波数設定部５はＲＯＭ６に記憶される逓倍比を示す信号を第１逓倍回路２や第２逓倍回路９に出力し、ＲＯＭ６に記憶される分周比を示す信号を第１分周回路７や第２分周回路１０に出力する。
【００１５】
第１発振回路１はＣＰＵ１１、ＲＡＭ１２、周辺回路１３および外部インタフェース１４へのクロック信号の元となる基準クロック信号を生成して、これを第１逓倍回路２に出力する。第１発振回路１からの基準クロック信号の周波数、いわゆる発振周波数は２５［ＭＨｚ］である。
【００１６】
また、第２発振回路８はビデオ回路１５およびオーディオ回路１６へのクロック信号の元となる基準クロック信号を生成して、これを第２逓倍回路９に出力する。第２発振回路８からの基準クロック信号の周波数は２７［ＭＨｚ］である。
【００１７】
第１逓倍回路２は第１発振回路１からの基準クロック信号の周波数を周波数設定部５からの信号で示される逓倍比により変更して、これを第１分周回路７に出力する。  
第１分周回路７は第１逓倍回路２からのクロック信号の周波数を周波数設定部５からの信号で示される分周比により変更して、ＣＰＵ１１への第１クロック信号、ＲＡＭ１２への第２クロック信号、周辺回路１３への第３クロック信号および外部インタフェース１４への第４クロック信号を生成して出力する。
【００１８】
また、第２逓倍回路９は第２発振回路８からの基準クロック信号の周波数を周波数設定部５からの信号で示される逓倍比により変更して、これを第２分周回路１０に出力する。  
第２分周回路１０は第２逓倍回路９からのクロック信号の周波数を周波数設定部５からの信号で示される分周比により変更して、ビデオ回路１５への第５クロック信号およびオーディオ回路１６への第６クロック信号を生成して出力する。
【００１９】
図２は、本発明の実施形態にしたがった地上波デジタル放送受信装置のＲＯＭに記憶される周波数テーブルの構成例を表形式で示す図である。  
ＲＯＭ６には図２に示した形式の周波数テーブルが記憶される。このテーブルでは各デバイスへのクロック信号の生成のための逓倍比および分周比の初期値の情報がデバイスの種類ごとに管理される。デバイスとはＣＰＵ１１、ＲＡＭ１２、周辺回路１３、外部インタフェース１４、ビデオ回路１５およびオーディオ回路１６のいずれかである。
【００２０】
また、図２に示したテーブルでは受信チャンネルに関わる逓倍比および分周比の情報が前述したデバイスの種類ごとに管理される。受信チャンネルとはＵＨＦ（Ultra High Frequency）帯の第１３チャンネルから第６２チャンネルまでの５０種類の周波数帯のいずれかの識別情報である。
【００２１】
図２に示したテーブル上の逓倍比および分周比の初期値は前述した受信レベルが予め定められた基準を満たしている場合の前述した第１乃至第６クロック信号の生成に関わる倍率である。これらの逓倍比および分周比にしたがって変更された周波数はクロック信号の供給先であるデバイスへのクロック周波数として設定できる最大周波数である。
【００２２】
また、図２に示したテーブル上の受信チャンネルに関わる逓倍比および分周比は前述した受信レベルが予め定められた基準を満たしていない場合の前述した第１乃至第６クロック信号の生成に関わる倍率である。
【００２３】
チャンネルの選局中に各種デバイスへのクロック信号の周波数が図２に示したテーブル上の当該選局中のチャンネルと関わる周波数に切り替わると、各種デバイスへのクロック信号の周波数とフロントエンド部３が選局した電波の周波数との干渉が改善される。ここで説明した干渉の原因となる周波数はフロントエンド部３が選局した電波の周波数に２の倍数を乗じた数の逆数である。
【００２４】
図２に示したテーブル上のシステム系クロック信号の逓倍比に併記される逓倍後周波数は第１逓倍回路２による逓倍後の周波数であり、システム系クロック信号の分周比に併記される分周後周波数は第１分周回路７による分周後のクロック信号の周波数である。また、図２に示したテーブル上の映像音声系クロック信号の逓倍比、分周比に併記される分周後周波数は第２分周回路１０による分周後の周波数である。
【００２５】
次に、図１に示した構成の地上波デジタル放送受信装置の処理動作について説明する。  
図３は、本発明の実施形態にしたがった地上波デジタル放送受信装置の第１の処理動作の一例を示すフローチャートである。
【００２６】
まず、フロントエンド部が放送電波の受信および選局を行なうと（ステップＳ１）、周波数設定部５はＲＯＭ６に記憶される周波数テーブル（図２参照）を読み出す。周波数設定部５は、このテーブルで示される逓倍比の初期値を示す信号を第１逓倍回路２に出力し、当該テーブルで示される各種デバイスの分周比の初期値を示す信号を第１分周回路７に出力する。
【００２７】
第１分周回路７は周波数設定部５からの信号で示される各種デバイスの分周比の初期値および第１逓倍回路２からの周波数逓倍後のクロック信号にしたがって各種デバイスへの第１乃至第４クロック信号を生成して出力する（ステップＳ２）。
【００２８】
図２に示した周波数テーブルによれば逓倍比の初期値は２６であり、第１クロック信号の生成のための分周比の初期値が２、第２クロック信号の生成のための分周比の初期値が５、第３クロック信号の生成のための分周比の初期値が２０、第４クロック信号の生成のための分周比の初期値が１３である。
【００２９】
よって第１逓倍回路２からの周波数逓倍後のクロック信号の周波数は６５０［ＭＨｚ］、ＣＰＵ１１への第１クロック信号の周波数の初期値は３２５［ＭＨｚ］、ＲＡＭ１２への第２クロック信号の周波数の初期値は１３０［ＭＨｚ］、周辺回路１３への第３クロック信号の周波数の初期値は３２．５［ＭＨｚ］、外部インタフェース１４への第４クロック信号の周波数の初期値は５０［ＭＨｚ］となる。
【００３０】
また、第２分周回路１０は周波数設定部５からの信号で示されるビデオ回路用の分周比および第２逓倍回路９からの周波数逓倍後のクロック信号にしたがってビデオ回路１５への第５クロック信号を生成して出力し、周波数設定部５からの信号で示されるオーディオ回路用の分周比および第２逓倍回路９からのクロック信号にしたがってオーディオ回路１６への第６クロック信号を生成して出力する。
【００３１】
図２に示した周波数テーブルによればビデオ回路用の逓倍比の初期値は１１であり、第５クロック信号の生成のための分周比の初期値は４である。よってビデオ回路１５への第５クロック信号の周波数の初期値は７４．２５［ＭＨｚ］である。
【００３２】
また、図２に示した周波数テーブルによればオーディオ回路用の逓倍比の初期値は１０２４であり、第６クロック信号の生成のための分周比の初期値は３３７５である。よってオーディオ回路１６への第６クロック信号の周波数の初期値は８．１９２［ＭＨｚ］である。
【００３３】
ここで受信チャンネルがＵＨＦ帯の第２１チャンネルである場合には選局電波の周波数帯は５１８［ＭＨｚ］〜５２４［ＭＨｚ］である。この場合、選局電波の周波数帯の４分の１の値は１２９．５［ＭＨｚ］〜１３１［ＭＨｚ］であり、この周波数帯と第２クロック信号の周波数の初期値（１３０ＭＨｚ）とが重複する。また、選局電波の周波数帯の１６分の１の値は３２．３７５［ＭＨｚ］〜３２．７５［ＭＨｚ］であり、この周波数帯と第３クロック信号の周波数の初期値（３２．５ＭＨｚ）とが重複する。
【００３４】
よってフロントエンド部３が選局した電波と第２クロック信号との間およびフロントエンド部が選局した電波と第３クロック信号との間でそれぞれ干渉が発生することになり、周囲の受信環境が悪化した場合の受信障害の原因となる。
【００３５】
フロントエンド部３は前述のように選局されたチャンネルの種類および受信レベルを示す信号を周波数設定部５に出力する。周波数設定部５はフロントエンド部３からの受信レベルを認識し（ステップＳ３）、この受信レベルが予め定められた時間にわたって予め定められた基準レベル以下であるか否かを判別する（ステップＳ４）。この基準レベルはユーザが放送を視聴することができる下限レベルである。
【００３６】
周波数設定部５はフロントエンド部３からの受信レベルが予め定められた時間にわたって基準レベル以下であると判別した場合（ステップＳ４のＹＥＳ）にはＲＯＭ６に記憶される周波数テーブルを再度読み出す。また、周波数設定部５はフロントエンド部３からの信号を入力することで、現在の受信チャンネルを認識する。
【００３７】
周波数設定部５は周波数テーブルで示される逓倍比および分周比の情報のうち前述のように認識した受信チャンネルの情報と関連付けられる各種デバイスの逓倍比および分周比の情報を検索する（ステップＳ５）。
【００３８】
受信チャンネルが前述したように第２１チャンネルである場合には、第２クロック信号、第４クロック信号はそれぞれ選局電波の分周結果と重なるため、逓倍比、第１および第４クロック信号の生成のための各分周比は初期値と同じとし、第２クロック信号の生成のための分周比が５から６へ、第３クロック信号の生成のための分周比が２０から２１へ変更する。
【００３９】
ここで、周波数設定部５は前述したように検索した逓倍比や分周比にしたがった外部インタフェース１４への第４のクロック信号の周波数が初期値と異なるか否かを判別する（ステップＳ６）。
【００４０】
周波数設定部５はステップＳ６の処理により「ＹＥＳ」と判別した場合には外部インタフェース１４に関する処理速度の低下を示す制御信号をＣＰＵ１１に出力する。ＣＰＵ１１は周波数設定部５からの制御信号を入力すると外部インタフェース１４に関する処理速度の低下を示すメッセージを表示部１７に表示させる（ステップＳ７）。
【００４１】
周波数設定部５はステップＳ７の処理後またはステップＳ６の処理により「ＮＯ」と判別した場合には前述したように検索した逓倍比を示す信号を第１逓倍回路２や第２逓倍回路９に出力し、検索済みの分周比を示す信号を第１分周回路７や第２分周回路１０に出力する（ステップＳ８）。
【００４２】
すると第１分周回路７から出力される第１クロック信号および第４クロック信号の周波数は初期値と変わらないが、第２クロック信号の周波数は第２１チャンネルの周波数帯の２の整数倍分の１の帯域外である１０８［ＭＨｚ］となり、第３クロック信号の周波数は第２１チャンネルの周波数帯の２の整数倍分の１の帯域外である３０．９［ＭＨｚ］となる。この場合にはシステムはリセットされて再起動する。
【００４３】
また、第２逓倍回路９への信号で示されるビデオ回路用の逓倍比、オーディオ回路用の逓倍比、第５および第６クロック信号の生成のための各分周比は初期値と同じである。よって第５および第６クロック信号の周波数は初期値から変化しない。
【００４４】
この結果、フロントエンド部３が選局した電波と第２クロック信号との間の干渉およびフロントエンド部３が選局した電波と第３クロック信号との間の干渉がともに改善されるので選局電波の受信レベルが改善される。つまり装置内部の信号に起因する受信障害を改善することができる。
【００４５】
次に、図１に示した構成の地上波デジタル放送受信装置による前述した第１の処理動作の後の第２の処理動作について説明する。  
図６は、本発明の実施形態にしたがった地上波デジタル放送受信装置の第２の処理動作の一例を示すフローチャートである。
【００４６】
周波数設定部５はフロントエンド部３からの信号で示される受信レベルを認識し（ステップＳ１１）、予め定められた時間にわたって当該受信レベルが前述したクロック周波数の変更後の受信レベルに対して予め定められた基準レベルが加算されたレベル以上であるか否かを判別する（ステップＳ１２）。
【００４７】
クロック周波数の変更後の受信レベルとは前述した逓倍比や分周比の変更にともなう改善後の受信レベルである。周波数設定部５はフロントエンド部３からの信号で示される受信レベルが前述したクロック周波数の変更後の受信レベルに対して予め定められた基準レベルが加算されたレベル以上であると判別した場合（ステップＳ１２のＹＥＳ）には、各種クロック信号の生成のための逓倍比や分周比を初期値に戻してもユーザによる放送の視聴が継続できるとみなし、ＲＯＭ６に記憶される周波数テーブルで示される逓倍比や各種デバイス用の分周比の初期値を読出す（ステップＳ１３）。
【００４８】
ここで周波数設定部５は外部インタフェース１４への第４のクロック信号の現在の周波数を認識している。周波数設定部５はこの現在の周波数が初期値と異なっているか否かを判別する（ステップＳ１４）。
【００４９】
周波数設定部５はステップＳ１４の処理により「ＹＥＳ」と判別した場合には外部インタフェース１４の処理速度の復帰を示す制御信号をＣＰＵ１１に出力する。ＣＰＵ１１は周波数設定部５からの制御信号を入力すると外部インタフェース１４の処理速度の復帰を示すメッセージを表示部１７に表示させる（ステップＳ１５）。
【００５０】
周波数設定部５はステップＳ１５の処理後またはステップＳ１４の処理により「ＮＯ」と判別した場合には前述したように検索した逓倍比や分周比の初期値を示す信号を第１逓倍回路２や第２逓倍回路９に出力し、分周比を示す信号を第１分周回路７や第２分周回路１０に出力する。
【００５１】
これにより、ＣＰＵ１１、ＲＡＭ１２、周辺回路１３、外部インタフェース１４、ビデオ回路１５およびオーディオ回路１６は全て元の周波数のクロック信号で動作するようになる（ステップＳ１６）。
【００５２】
以上のように、本発明の実施形態にしたがった地上波デジタル放送受信装置では、フロントエンド部３が選局した電波と他の各種デバイスへのクロック信号との干渉に加えて周囲の受信環境の悪化によりユーザによる放送の視聴が不能となった場合でも各種デバイスへのクロック信号の周波数の生成のための逓倍比や分周比を受信チャンネルに応じて変更することで前述した干渉を改善するようにした。これにより選局した電波の受信レベルを改善させることができる。よって、ユーザは視聴が不能となった放送を再び視聴することができるようになる。
【００５３】
また、本発明では選局した電波の受信レベルが基準を満たさない場合に分周比を変更するので、受信レベルが基準を満たしている場合には各種デバイスへのクロック信号の周波数は、当該デバイスが処理性能を最大限に発揮できる初期値に保たれる。よって各種デバイスの不必要な性能低下を抑制することができる。
【００５４】
前述した実施形態では、デジタル放送受信装置は受信レベルが基準値以下となった場合に逓倍比や分周比の値を変更することで受信電波の周波数と各種デバイスへのクロック信号の周波数を変更する構成としたが、これに限らず例えば外部インタフェース１４のように動作を停止させても放送の視聴自体に影響がないデバイスへのクロック信号の供給を停止する構成としてもよい。
【００５５】
具体的には、周波数設定部５はフロントエンド部３からの受信レベルが基準値未満であると判別した場合には外部インタフェース１４へのクロック信号の出力停止の許可要求を示す制御信号をＣＰＵ１１に出力する。ＣＰＵ１１はこの制御信号を入力すると外部インタフェース１４へのクロック信号の出力停止の許可の入力操作を促すメッセージを表示部１７に表示させる。
【００５６】
ユーザがこの表示にしたがって予め定められた入力操作を入力部１８に対して行なうとＣＰＵ１１は外部インタフェース１４へのクロック信号の出力停止を示す制御信号を第１分周回路７に出力する。第１分周回路７は周波数設定部５からの制御信号を入力すると、外部インタフェース１４への第４クロック信号の供給を停止する。この結果、外部インタフェース１４は動作を停止する。
【００５７】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５８】
【図１】本発明の実施形態にしたがった地上波デジタル放送受信装置の構成例を示すブロック図。
【図２】本発明の実施形態にしたがった地上波デジタル放送受信装置のＲＯＭに記憶される周波数テーブルの構成例を表形式で示す図。
【図３】本発明の実施形態にしたがった地上波デジタル放送受信装置の第１の処理動作の一例を示すフローチャート。
【図４】本発明の実施形態にしたがった地上波デジタル放送受信装置の第２の処理動作の一例を示すフローチャート。
【符号の説明】
【００５９】
１…第１発振回路、２…第１逓倍回路、３…フロントエンド部、４…アンテナ、５…周波数設定部、６…ＲＯＭ、７…第１分周回路、８…第２発振回路、９…第２逓倍回路、１０…第２分周回路、１１…ＣＰＵ、１２…ＲＡＭ、１３…周辺回路、１４…外部インタフェース、１５…ビデオ回路、１６…オーディオ回路、１７…表示部、１８…入力部。
【図１】
2007235840.tif 000003
【図２】
2007235840.tif 000004
【図３】
2007235840.tif 000005
【図４】
2007235840.tif 000006